(57)【要約】【課題】槌打ち時の衝撃によるシールバーの変形・損傷による漏風問題を解消する。【解決手段】ドワイトロイド型焼結機のパレット台車移動方向で排鉱部から給鉱部に至る位置に設置された焼結機パレットのシールバー槌打装置１１である。シールバー槌打装置１１を、機長方向２０％以上、８０％以下の範囲の位置に設置する。シールバー９の摺動方向に対して平行に槌打ち作動するハンマー１４の槌打ち衝撃を、ハンマリングプレート１５を介して間接的にシールバー９へ伝達する構成、例えばシールバー９の摺動方向に対して平行な移動と回転運動が可能に支持すると共に、シールバー９に当接する面が、シールバー９の長さに対して３０％以上、８０％以下の長さを有し、かつシールバー９の搬送方向先端部と接触する部位が、３０°以上、６０°以下の角度θで斜めに切り下げされた形状とする。【効果】シールバーの変形・損傷が防止できて漏風低減が可能となる。【選択図】図１
2009097803.tif 000002
【特許請求の範囲】
【請求項１】
ドワイトロイド型焼結機のパレット台車移動方向で排鉱部から給鉱部に至る位置に設置された焼結機パレットのシールバー槌打装置において、
シールバー槌打装置は、
機長方向２０％以上、８０％以下の範囲の位置に設置し、
かつシールバーの摺動方向に対して平行に槌打ち作動するハンマーの槌打ち衝撃を、ハンマリングプレートを介して間接的にシールバーに伝達する構成としたことを特徴とする焼結機パレットのシールバー槌打装置。
【請求項２】
前記ハンマリングプレートは、
シールバーの摺動方向に対して平行な移動と回転運動が可能に支持されると共に、シールバーに当接する面が、シールバーの長さに対して３０％以上、８０％以下の長さを有し、かつシールバーの搬送方向先端部と接触する部位が、水平に対して３０°以上、６０°以下の角度で斜めに切り下げられた形状を有するものであることを特徴とする請求項１に記載の焼結機パレットのシールバー槌打装置。
【請求項３】
前記ハンマリングプレートに、ハンマーの飛び出しを防止するガイドをさらに有することを特徴とする請求項１又は２に記載の焼結機パレットのシールバー槌打装置。
【発明の詳細な説明】
【技術分野】
【０００１】
本発明は、ドワイトロイド型焼結機におけるパレット台車の下面両端に組み込まれたシールバーの摺動不良に伴う、ウインドボックス内の吸引圧力（負圧）低下を防止するために、焼結機パレットのシールバーを槌打ちする装置に関するものである。
【背景技術】
【０００２】
ドワイトロイド型焼結機は、図５に示すように、給鉱部においてエンドレス状に駆動されるパレット台車１にサージホッパー２から焼結原料を一定厚さに装入し、点火炉３でその上層部に点火した後、終端側排鉱部までパレット台車１が移動する間にウインドボックス４により下方から吸気して焼成することで焼結鉱を製造している。なお、図５中の５はメインダクト、６は主排風機、７は電気集塵機を示す。
【０００３】
このようなドワイトロイド型焼結機では、ウインドボックス４の内部への外気の侵入（以下、漏風と称する。）を防止するために、図６に示すように、ウインドボックス４の両端上縁に装着したウエアバー８と、パレット台車１の下縁に組み込まれたシールバー９の密着性を向上させたシールバー方式が一般に採用されている。なお、図６中のＧは焼結原料を示す。
【０００４】
なお、ここでの上縁、下縁とは、パレット台車上に焼結原料が積載された状態でパレット台車が給鉱部から排鉱部へ移動する、焼結鉱を製造している際の上下を示しており、シールバー９は、図７（ａ）に示すように上下に摺動自在になされ、自重で下がってウエアバー８に密着することでシール性を確保する構造である。
【０００５】
ところが、図７（ｂ）に示すように、前記排鉱部での焼結鉱排出の際に発生する粉鉱石等が、前記シールバー９とパレット台車１の支持溝１ａとの間隙に侵入した場合、シールバー９の上下摺動が円滑に行われなくなって、ウエアバー８との密着不良が生じる。
【０００６】
シールバー９とウエアバー８の密着不良が発生すると、この密着不良部から空気が侵入（漏風）してウインドボックス内の吸引圧力（負圧）が低下し、焼結鉱の焼成不良が発生することになるので、操業上の課題となっていた。
【０００７】
このシールバーの摺動不良を解消するために、排鉱部で焼結鉱を排出した後、排鉱部から給鉱部へパレット台車が上下反転した状態で移動する際に、作業者がハンマー等の槌打具（以下、「ハンマー」と称する）で直接シールバーを槌打ちして支持溝との間隙に侵入した粉鉱石を除去していた。
【０００８】
しかしながら、作業者がハンマーで直接シールバーを槌打ちする作業は、稼動設備近傍での重筋作業であり、安全上の問題がある。
【０００９】
そこで、特許文献１では排鉱部から給鉱部へパレット台車が上下反転した状態で移動する際に、また特許文献２では排鉱部で、それぞれシールバーをハンマーで直接機械的に自動槌打ちする装置が提案され、使用されている。
【特許文献１】実公昭５４−２６３２６号公報
【特許文献２】特公平６‐９２８７０号公報
【発明の開示】
【発明が解決しようとする課題】
【００１０】
しかしながら、これら特許文献１、２で提案された装置は、ハンマーで直接シールバーを槌打ちするものであり、支持溝との間隙に侵入した粉鉱石を除去するにはシールバーに強い衝撃を加える必要がある。
【００１１】
従って、槌打ちによる強い衝撃によって、シールバーに著しい変形・損傷が発生した場合や、槌打装置に故障が発生した場合、漏風対策が不充分となるだけでなく、パレット台車が走行不良となって焼結機本体の操業に支障をきたすという問題があった。
【００１２】
加えて、特許文献２で提案された装置では、高温で発生粉塵量が多い排鉱部に装置を設置するので、メンテナンスが困難である。
【００１３】
本発明が解決しようとする問題点は、特許文献１、２の装置は、シールバーに強い衝撃を加える必要があるのでシールバーに変形・損傷が生じやすく、漏風対策が不充分となり、また槌打装置に故障が発生した場合、パレット台車が走行不良となって焼結機本体の操業に支障をきたすという点である。
【課題を解決するための手段】
【００１４】
本発明の焼結機パレットのシールバー槌打装置は、
槌打ち時の衝撃によるシールバーの変形・損傷による漏風問題と、焼結機本体の操業に支障をきたすことを解消するために、
ドワイトロイド型焼結機のパレット台車移動方向で排鉱部から給鉱部に至る位置に設置された焼結機パレットのシールバー槌打装置において、
シールバー槌打装置は、
機長方向２０％以上、８０％以下の範囲の位置に設置し、
かつシールバーの摺動方向に対して平行に槌打ち作動するハンマーの槌打ち衝撃を、ハンマリングプレートを介して間接的にシールバーに伝達する構成としたことを主要な特徴としている。
【００１５】
本発明の焼結機パレットのシールバー槌打装置において、
ハンマーの槌打衝撃を、シールバー全体に伝達するためには、
前記ハンマリングプレートは、
シールバーの摺動方向に対して平行な移動と回転運動が可能に支持されると共に、シールバーに当接する面が、シールバーの長さに対して３０％以上、８０％以下の長さを有し、かつシールバーの搬送方向先端部と接触する部位が、３０°以上、６０°以下の角度で斜めに切り下げられた形状を有するものであることが望ましい。
【００１６】
本発明において、「機長」とは、給鉱部と排鉱部のスプロケット軸間距離を言い、「機長方向」とは、給鉱部と排鉱部のスプロケット軸間の方向（図５の左右方向）を言い、位置の表示は、給鉱部のスプロケット軸を０％、排鉱部のスプロケット軸を１００％として、機長方向における位置を「機長方向２０％」のように示している。また、ハンマリングプレート及びシールバーの「長さ」とは、機長方向の長さを言う。
【発明の効果】
【００１７】
本発明は、作業者による粉鉱石の除去作業が不要となり重筋作業かつ安全上の問題が解消されるのに加えて、ハンマーの槌打ち衝撃を、ハンマリングプレートを介してシールバーに伝達するので、シールバーの変形・損傷が防止できて漏風低減が可能となる。また、焼結機本体の操業に支障をきたすことも解消できる。
【発明を実施するための最良の形態】
【００１８】
以下、本発明を実施するための最良の形態例を、図１の概略構成図を用いて説明する。
本発明の焼結機パレットのシールバー槌打装置１１は、ドワイトロイド型焼結機のパレット台車移動方向で排鉱部から給鉱部に至る位置において、機長方向２０％以上、８０％以下の範囲の位置に設置する。
【００１９】
このような位置にシールバー槌打装置１１の全体を設置することにより、給鉱部や点火炉近傍における焼結原料の落鉱と排鉱部由来の粉塵を避けることができる。また、排鉱部近傍のウインドボックスやダクトは２００〜５００℃の高温で、これらからの輻射熱と粉塵を避けることができて、粉塵や熱が原因となる装置の動作不良を防止できるので、装置メンテナンスの観点からも望ましい。
【００２０】
本発明の焼結機パレットのシールバー槌打装置１１は、パレット台車１の移動に伴い、パレット車輪１ｂに一方端部を押されて所定角度回動するベルクランク１２により、その他方端部に取り付けたワイヤー１３を介してハンマー１４が引き上げられる。
【００２１】
そして、パレット台車１の更なる移動によってパレット車輪１ｂとベルクランク１２の一方端部が接触しなくなると、自重によってハンマー１４がハンマリングプレート１５上に落下し、シールバー９に槌打ち衝撃を伝達する。
以上の動作がパレット台車１の移動に伴って連続的に繰り返えされる。
【００２２】
本発明の焼結機パレットのシールバー槌打装置１１は、前記シールバー９を連続的に槌打ちするハンマー１４とシールバー９との間にハンマリングプレート１５を設置している。
【００２３】
そして、このハンマリングプレート１５を介して、シールバー９の摺動方向に対して平行に槌打ち作動をするハンマー１４による槌打ち衝撃を、間接的にシールバー９に伝達するようにしている。
【００２４】
このようにハンマリングプレート１５を介することで、ハンマー１４の槌打ち衝撃をシールバー９全体に伝達することが可能となり、ハンマー１４に重量の大きな重錘を使用した場合でも、強い槌打ち衝撃によるシールバー９の変形・損傷を防止することができる。
【００２５】
このハンマリングプレート１５の長さＬ1は、シールバー９の長さＬ2に対して３０％以上、８０％以下の長さを有するようにして、接触面積を大きくすることが望ましい。このような長さＬ1とすれば、強い槌打ち衝撃によるシールバー９の変形・損傷を効果的に防止することができる。
【００２６】
ハンマリングプレート１５の長さＬ1が、シールバー９の長さＬ2に対して３０％未満では、接触面積が小さいためにシールバー９の変形・損傷が発生するおそれがある。一方、８０％を超える長さの場合は、シールバー９上へハンマリングプレート１５がスムーズに乗り上がらず、シールバー９の変形・損傷や槌打装置の故障等が発生しやすくなる。
【００２７】
また、図１の例では、ハンマリングプレート１５は、ハンマー１４の摺動方向に対して平行にかつ回転運動が可能なように、軸１６によって支持することに加えて、シールバー９の進行方向先端部と接触する部位１５ａが、水平に対して３０°以上、６０°以下の角度θで、パレット台車１の進行方向に斜めに切り下げられた形状を有するようにしている。
【００２８】
ハンマリングプレート１５をこのような形状としない場合は、シールバー９上へハンマリングプレート１５がスムーズに乗り上がらず、シールバー９の変形・損傷や、槌打装置の故障等が発生しやすくなる。
【００２９】
これに対して、ハンマリングプレート１５を前記形状とした場合は、図１の紙面右側のシールバー９のように、摺動不良による支持溝１ａからの飛び出し段差があっても、ハンマリングプレート１５がシールバー９上へスムーズに乗りあがって、ハンマリングプレート１５とシールバー９との接触面を広くすることができる。従って、シールバー９の変形・損傷や槌打装置の故障等を回避できるようになる。
【００３０】
ところで、ハンマー１４が直接シールバー９を機械式に自動槌打ちする装置では、ハンマー１４を吊り下げたワイヤー１３が切断等した場合、ハンマー１４が槌打装置外へ飛び出して落下する。この場合、前記ハンマー１４が焼結機の稼動部に噛み込むと、焼結機本体が停止する等の重大な故障に繋がる可能性がある。
【００３１】
そこで、このような問題を起こさせないように、図１の例では、ハンマリングプレート１５の上部にガイドパイプ１７を設けて、このガイドパイプ１７内をハンマー１４が上下移動するようにしている。このようなガイドパイプ１７をさらに設けることで、ワイヤー１３が切断等した場合も、ハンマー１４が焼結機の稼動部へ噛み込むトラブルを回避することが可能となる。
【００３２】
このような本発明の焼結機パレットのシールバー槌打装置１１では、排鉱部での粉塵や高熱によるシール性の経年劣化や、シールバー９とシールケース間のダスト蓄積による摺動不良を効果的に防止することができる。
【００３３】
以上の本発明は、スプリング１８によってシールバー９をウエアバー８に押さえ付けて漏風を防止するものや、さらにＯリング１９等のシール部材を有するもの（図２参照）であっても適用可能である。
【００３４】
図１に示した本発明の焼結機パレットのシールバー槌打装置を導入した前後におけるウインドボックス部での吸引圧力（負圧）測定結果を図３に示す。
本発明の焼結機パレットシールバー槌打装置導入後は、シールバーとウエアバーの接触部からの漏風が低減されてウインドボックスでの吸引圧力（負圧）が回復し、焼成不良の減少が図れたため、図４に示すように歩留が向上した。
【００３５】
以上、本発明の実施の形態について一例を説明したが、本発明はこれらの例示に限定されるものではなく、特許請求の範囲に示された技術的思想の範疇であれば、適宜変更可能なことは言うまでもない。
【図面の簡単な説明】
【００３６】
【図１】本発明の焼結機パレットのシールバー槌打装置について概略構成を説明する図である。
【図２】本発明の焼結機パレットのシールバー槌打装置を適用するシールバーとウエアバーとのシール構造について他の例を示す図である。
【図３】本発明の焼結機パレットのシールバー槌打装置を導入した前後におけるウインドボックス部での吸引圧力（負圧）測定結果を示した図である。
【図４】本発明の焼結機パレットのシールバー槌打装置を導入した前後における歩留を示した図である。
【図５】一般的なドワイトロイド型焼結機について概要を示した図である。
【図６】焼結機パレット台車およびシールバーの概略構成を断面化して説明する斜視図である。
【図７】（ａ）はシールバー作動状況を説明する図、（ｂ）はシールバー作動状況が不良の場合を説明する図である。
【符号の説明】
【００３７】
９    シールバー
１１    シールバー槌打装置
１２    ベルクランク
１３    ワイヤー
１４    ハンマー
１５    ハンマリングプレート
１５ａ    接触部位置
１６    軸
１７    ガイドパイプ
【図１】
2009097803.tif 000003
【図２】
2009097803.tif 000004
【図３】
2009097803.tif 000005
【図４】
2009097803.tif 000006
【図５】
2009097803.tif 000007
【図６】
2009097803.tif 000008
【図７】
2009097803.tif 000009